(57)【特許請求の範囲】
【請求項１】
嗅覚誘引性捕獲部材２が入れられ、昆虫の侵入口３を上部に設けた容器１から構成されている飛翔昆虫用捕獲器において、
前記容器１の上部を緑色とし、該容器１の下部の明度を上部の明度よりも低くしたことを特徴とする飛翔昆虫用捕獲器。
【請求項２】
容器１の緑色部分が紫外線照射により蛍光を発するようにした請求項１に記載の飛翔昆虫用捕獲器。
【請求項３】
容器１の侵入口３の周囲に凹凸４を設け、その凹凸４で光散乱や反射が生じるようにした請求項１又は請求項２に記載の飛翔昆虫用捕獲器。
【請求項４】
上面が開口した筒形状の本体５と、この本体５の上部に取付けられ、昆虫の侵入口３を有する蓋６を備えた容器１と、
この容器１の本体５内に入れられた嗅覚誘引性捕獲部材２から構成されている飛翔昆虫用捕獲器において、
前記容器１の蓋６を緑色とし、本体５の明度を蓋６の明度よりも低くしたことを特徴とする飛翔昆虫用捕獲器。
【請求項５】
上面が開口した筒形状の本体５と、この本体５の上部に取付けた蓋６を備えた容器１と、
この容器１の本体５内に入れられた嗅覚誘引性捕獲部材２から構成されている飛翔昆虫用捕獲器において、
前記容器１の蓋６は、その上面板９に凹陥部１１を有し、その凹陥部１１の底面１１ａに複数の侵入口３を有すると共に、凹陥部１１の周面部分１１ｂは下部よりも上部が外周寄りとなるようにほぼ漏斗形状で、当該周面部分１１ｂに凹凸４を有し、
前記容器１の蓋６を緑色とし、本体５の明度を蓋６の明度よりも低くしたことを特徴とする飛翔昆虫用捕獲器。
【請求項６】
蓋６を、紫外線照射により蛍光を発生するようにし、かつ緑色で明度を３〜６の範囲とし、本体５を、赤色で明度が蓋６の明度よりも低くした請求項４又は５記載の飛翔昆虫用捕獲器。
【発明の詳細な説明】
【０００１】
【発明の属する技術分野】
本発明は、嗅覚誘引性捕獲部材が入れられ、昆虫の侵入口を設けた容器から構成されている飛翔昆虫用捕獲器に関する。
【０００２】
【従来の技術】
室内のハエ類を捕獲するための、嗅覚誘引性捕獲部材が入り、昆虫の侵入口を上部に設けた容器から構成されている種々の飛翔昆虫用捕獲器が最近上市されているが、いずれも嗅覚誘引性捕獲部材には工夫を凝らしてはいるが、容器の色には特段の工夫は見られない。
【０００３】
また、簡単な視覚的要素の工夫によって、誘引効率を高めるようにした昼光性の昆虫用の捕獲器が種々提案されている。
例えば、特開平９−２４８１１７号公報には捕獲器の外面の一部又は全部を青色及び／又はオレンジ色とすることが提案されている。
特開平１１−７５６５７号公報には昼間飛翔する害虫に対しては４００ｎｍ以下の紫外光あるいは近紫外光が増量されず、４００〜６００ｎｍの波長の範囲の色彩を帯びていれば十分であることが提案されている。
また、特開２０００−６０４０４号公報には多くの害虫は、特定の波長成分を含む光により誘引されることより、同一面上に種の異なる昆虫にあった２以上の色を組み合わせることで種の異なる昆虫の誘引捕獲することが提案されている。
さらに、特開平８−３３４４４号公報及び特開平１１−５６１９４号公報には、誘引のために蛍光発光剤を利用することが提案されている。
特開平８−３３４４４号公報には蛍光剤の選択により種々の色に発色させることが可能であることが提案されている。
【０００４】
【発明が解決しようとする課題】
しかし、前述の各公報には、昆虫の種類によって誘引性の高い色は異なること、色々な種類の昆虫を誘引するには、それら昆虫のそれぞれに対し高い誘引性を有する色を並べて組合すこと、単に蛍光発光剤を利用すれば誘引性は高まることなどの技術は示されているが、１種の昆虫及びそれに近い系統の昆虫（つまり、特定の昆虫）に対して色の明度、コントラスト等を検討することでより誘引性が高まるといった考えは示されていない。
【０００５】
本発明は、前述の課題に鑑みなされたものであり、その目的は、特定の昆虫の誘引性及び捕獲性の高い飛翔昆虫用捕獲器を提供することである。
【０００６】
【課題を解決するための手段】
第１の発明は、嗅覚誘引性捕獲部材２が入れられ、昆虫の侵入口３を上部に設けた容器１から構成されている飛翔昆虫用捕獲器において、
前記容器１の上部を緑色とし、該容器１の下部の明度を上部の明度よりも低くしたことを特徴とする飛翔昆虫用捕獲器である。
第２の発明は、第１の発明において、容器１の緑色部分が紫外線照射により蛍光を発するようにした飛翔昆虫用捕獲器である。
第３の発明は、第１又は第２の発明において、容器１の侵入口３の周囲に凹凸４を設け、その凹凸４で光散乱や反射が生じるようにした飛翔昆虫用捕獲器である。
第４の発明は、上面が開口した筒形状の本体５と、この本体５の上部に取付けられ、昆虫の侵入口３を有する蓋６を備えた容器１と、
この容器１の本体５内に入れられた嗅覚誘引性捕獲部材２から構成されている飛翔昆虫用捕獲器において、
前記容器１の蓋６を緑色とし、本体５の明度を蓋６の明度よりも低くしたことを特徴とする飛翔昆虫用捕獲器である。
第５の発明は、上面が開口した筒形状の本体５と、この本体５の上部に取付けた蓋６を備えた容器１と、
この容器１の本体５内に入れられた嗅覚誘引性捕獲部材２から構成されている飛翔昆虫用捕獲器において、
前記容器１の蓋６は、その上面板９に凹陥部１１を有し、その凹陥部１１の底面１１ａに複数の侵入口３を有すると共に、凹陥部１１の周面部分１１ｂは下部よりも上部が外周寄りとなるようにほぼ漏斗形状で、当該周面部分１１ｂに凹凸４を有し、
前記容器１の蓋６を緑色とし、本体５の明度を蓋６の明度よりも低くしたことを特徴とする飛翔昆虫用捕獲器。
第６の発明は、第４又は第５の発明において、蓋６を、紫外線照射により蛍光を発生するようにし、かつ緑色で明度を３〜６の範囲とし、本体５を、赤色で明度が蓋６の明度よりも低くした飛翔昆虫用捕獲器である。
【０００９】
【作用】
第１の発明によれば、容器１の侵入口３を設けた上部が緑色で、容器１の下部の明度が上部の明度より低いから、昆虫にとって容器１の侵入口３の周囲が緑色としてハッキリと視覚される。よって、緑色を好む飛翔昆虫の視覚による侵入口３への誘引性が高く、捕獲性が高くなる。
第２の発明によれば、昆虫にとっての容器１の緑色部分の色彩のコントラストが高まり、侵入口３への誘引性が更に高くなるので、捕獲性も更に高くなる。
第３の発明によれば、侵入口３の周囲に設けた凹凸４により光散乱や反射が発生するので侵入口３周辺の光沢個所が増え、侵入口３への誘引性が一層高くなるので、捕獲性が一層高くなる。
第４の発明によれば、容器１の侵入口３を設けた蓋６が緑色で、容器１の本体５の明度が蓋６の明度より低いから、昆虫にとって容器１の侵入口３の周囲が緑色としてハッキリと視覚される。よって、緑色を好む飛翔昆虫の視覚による侵入口３への誘引性が高く、捕獲性が高くなる。
第５の発明によれば、容器１の侵入口３を設けた蓋６が緑色で、容器１の本体５の明度が蓋６の明度より低いから、昆虫にとって容器１の侵入口３の周囲が緑色としてハッキリと視覚される。よって、緑色を好む飛翔昆虫の視覚による侵入口３への誘引性が高く、捕獲性が高くなる。
また、蓋６の凹陥部１１の底面１１ａに侵入口３を形成したので、その凹陥部１１に入り込んだ昆虫は、その凹陥部１１内で動き回り、嗅覚誘引性捕獲部材２により誘引されて侵入口３から本体５内に入るから、昆虫の捕獲効率が向上する。
また、凹陥部１１の周面部分１１ｂはほぼ漏斗形状であるから昆虫が凹陥部１１内に入り込み易く、しかも周面部分１１ｂが凹凸４によって光散乱や反射が生じるから、侵入口３周辺の光沢個所が増え、侵入口３への誘引性が一層高くなるので、捕獲性が一層高くなる。
第６の発明によれば、蓋６が紫外線照射で蛍光を発すると共に、緑色で、明度を３〜６の範囲で、本体５が赤色であるから、侵入口３への誘引性がより一層高く、捕獲性がより一層高くなる。
【００１２】
【発明の実施の形態】
本発明に係る飛翔昆虫用捕獲器の実施の形態を、図１に示す斜視図及び図２に示す正面縦断面図に基づいて説明する。
容器１内には嗅覚誘引性捕獲部材２が入れてある。この嗅覚誘引性捕獲部材２は嗅覚誘引剤を含む。
前記容器１の上部に昆虫の侵入口３が設けてあると共に、その容器１の上部、好ましくは侵入口３を形成した部分は緑色で、容器１の下部、好ましくは前述の侵入口３を形成した部分以外の部分は、上部の明度よりも低くしてある。
前記容器１の緑色とした部分、好ましくは侵入口３の周囲に凹凸４が形成してある。その凹凸４で光散乱や反射が生じるようにしてある。
【００１３】
前述の緑色とは日本工業規格の色票でいう色相２．５ＧＹ〜１０ＧＹ、２．５Ｇ〜１０Ｇ及び２．５ＢＧ〜１０ＢＧで、それぞれに対し明度が３〜６までが相当する。好ましくは２．５Ｇ〜１０Ｇで明度が４〜５の範囲のものである。
前述の下部が上部の明度よりも低いとは、緑色に対して波長の長短は関わりなく、明度の低いもの、すなわち緑の明度が４であれば明度４以下、緑の明度が５であれば明度５以下となる。
【００１４】
次に、具体形状の一例を説明する。
容器１は本体５と蓋６を備えている。
前記本体５は底面板７と周面板８で上面が開口した筒形状で、前記容器１の下部に相当する。この底面板５に嗅覚誘引性捕獲部材２が入れてある。
前記蓋６は上面板９と周面板１０で下面が開口した筒形状で、前記容器１の上部に相当する。その周面板１０の下部内周面１０ａが本体５の周面板８の上部外周面８ａに嵌め込んで蓋６が本体５の上部に取付けられる。
前記蓋６の上面板９の中央部分は凹んで凹陥部１１を有し、その凹陥部１１の底面１１ａに複数の侵入口３が形成してある。この凹陥部１１の周面部分１１ｂには凹部１２と凸部１３が周方向に交互に有し、前述の凹凸４を形成している。
つまり、蓋６における凹陥部１１を形成した部分が前述の侵入口３を形成した部分に相当し、その周面部分１１ｂが前述の侵入口３の周囲に相当する。
【００１５】
前述のように、凹陥部１１の底面１１ａに侵入口３を形成したので、その凹陥部１１に入り込んだ昆虫は、その凹陥部１１内で動き回り、嗅覚誘引剤により誘引されて侵入口３から容器１内に入る。
よって、昆虫の捕獲効率が向上する。
しかも、前述の凹陥部１１の底面１１ａは、その中央部が高く周縁部が低いほぼ球面形状で、周面部分１１ｂは下部よりも上部が外周寄りとなるようにほぼ漏斗形状であるから、昆虫が凹陥部１１内を視認し易く、凹陥部１１内に昆虫が入り込み易い。
よって、昆虫の捕獲効率がより向上する。
【００１６】
前記本体５、蓋６は、合成樹脂に所定の色・明度の着色剤を混合して成型しても良い。また、合成樹脂、木、紙などの材料で作成し、その表面に所定の色・明度の塗料を塗布したり、所定の色・明度のシートを貼着しても良い。
【００１７】
前記蓋６（容器１の緑色部分）を紫外線照射により蛍光を発するようにしても良い。
このようにすれば、容器１の蓋６（緑色部分）の色彩のコントラストが高まり、昆虫の誘引性及び捕獲性が高くなる。
例えば、紫外線照射により蛍光を発する蛍光剤からなる群より選ばれた少なくとも１種の蛍光発光剤を、着色剤とともに合成樹脂に混合して成型する。
前記蛍光発光剤を蓋６の表面に塗布する。
前記蛍光発光剤を混合した合成樹脂製の透明シート、蛍光発光剤を表面に塗布した透明シートを蓋６の表面に貼着する。
【００１８】
前記蛍光発光剤の種類については特に限定はしないが、デイグロ蛍光含量、ＢＬインキ（ルミライト）、ＣａＡｌ２Ｏ４：Ｅｕ：Ｎｄ、ＣａＳｒＳ：Ｂｉ、Ｓｒ４Ａｌ１４Ｏ２５：Ｅｕ：Ｄｙ、
ＳｒＡｌ２Ｏ４：Ｅｕ：Ｄｙ、ＳｒＡｌ２Ｏ４：Ｅｕ、ＺｎＳ：Ｃｕ、ＺｎＳ：Ｃｕ，Ｃｏ、３（Ｂａ，Ｍｇ）Ｏ・８Ａｌ２Ｏ２：Ｅｕ３Ｍｎ、
Ｚｎ２  ＳｉＯ４：Ｍｎ、ＺｎＳ：Ｃｕ、Ｙ２  Ｏ４：Ｅｕ、Ｙ（Ｐ，Ｖ）Ｏ４：Ｅｕ、Ｙ２  Ｏ２  Ｓ：Ｅｕ、０．５ＭｇＦ２・３．５ＭｇＯ・ＧｅＯ２：Ｍｎ
などが挙げられ、自然光や室内光に含まれる紫外線で蛍光発光するものであれば特に規定しない。また、蛍光発光剤を使用しているか否かについては、昆虫の感覚により違いがわかればよく、自然光や室内光のもとでは人に違いがわからなくてもよい。
【００１９】
前記容器１上部の凹凸４に関しては、光散乱や反射が期待できれば、形状にこだわるものではないが、侵入口付近にあることが望ましい。
前記嗅覚誘引性捕獲部材２は、液体式、ゲル式、粘着シート式など特に限定されるものではないが、誘引剤としては、醸造酢、醸造酒、糖類、果汁、植物精油、フェロモンが挙げられる。
醸造酢としては、ブドウ酢、ワインビネガー、バルサミコ酢、リンゴ酢、すだち酢、ポン酢、赤酢、柿酢などの果実酢や米酢、玄米酢、粕酢、大豆酢などの穀物酢が挙げられる。
醸造酒としては、ブドウ酒、リンゴ酒、ウメ酒、日本酒、ビールなどが挙げられる。
【００２０】
糖類としては、上白糖、グラニュー糖、白双糖（しろざらとう）、三温糖、中双糖（ちゅうざらとう）、液糖、黒砂糖などの砂糖類、糖蜜類、果糖、ブドウ糖などの単糖類、オリゴ糖類、多糖類が挙げられる。
果汁としては、リンゴ果汁、レモン果汁、オレンジ果汁、ブドウ果汁、パイナップル果汁などが挙げられる。
このうちの醸造酢では、特に、ワインビネガー、バルサミコ酢、リンゴ酢などの果実酢の誘引効果が高かった。
【００２１】
次に実施例を説明する。
【実施例１】
試験場所：幅１．８２×長さ１．８２×高さ１．８２＝６．０３ｍ３（Ｐｅｅｔ  Ｇｒａｄｙ  Ｔｅｓｔ  Ｃｈａｍｂｅｒ、室温２５℃）
供試虫：キイロショウジョウバエ、イエバエ
試験方法：（１）上記の部屋に、第１〜第４実施例品、第１〜第４比較品を並置する。
（２）その後、キイロショウジョウバエとイエバエを各５０〜７３個体放つ。
（３）２４時間後に捕獲虫数を確認する。
容器形状：蓋６（ポリプロピレン製、直径０．９ｃｍの侵入口６個と１．２ｃｍの侵入口１個を設ける。色は各比較品、各実施例品のとおり）
本体５（ポリプロピレン製、天面直径６．８ｃｍ、底面直径６．３ｃｍ、高さ３．９ｃｍ。色は各比較品、各実施例品のとおり）
嗅覚誘引性捕獲部材２：
誘引剤含浸剤：アクリルアミド・２−（アクリロイルオキシ）エチルトリメチルアンモニウム＝クロリド重合物、デンプン、セルロースパウダーを主成分とする    ３ｇ
捕獲剤：落花生油  １ｇ
誘引剤：各比較品、各実施例品のとおり
【００２２】
第１比較品
蓋の色：透明緑色（明度４．５）
本体の色：不透明白色（明度９．０）
誘引剤：リンゴ酢  ３０ｇ
【００２３】
第１実施例品
蓋の色：透明緑色（明度４．５）
本体の色：不透明赤色（明度４．０）
誘引剤：リンゴ酢  ３０ｇ
【００２４】
第２比較品
蓋の色：透明緑色、蛍光発光剤ルミライトピグメント１．５％配合（明度４．５）
本体の色：不透明白色（明度９．０）
誘引剤：リンゴ酢  ３０ｇ
【００２５】
第２実施例品
蓋の色：透明緑色、蛍光発光剤ルミライトピグメント１．５％配合（明度４．５）
本体の色：不透明赤色（明度４．０）
誘引剤：リンゴ酢  ３０ｇ
【００２６】
第３比較品
蓋の色：透明緑色（明度４．５）
本体の色：不透明白色（明度９．０）
誘引剤：赤酢  ３０ｇ
【００２７】
第３実施例品
蓋の色：透明緑色（明度４．５）
本体の色：不透明赤色（明度４．０）
誘引剤：赤酢  ３０ｇ
【００２８】
第４比較品
蓋の色：透明緑色、蛍光発光剤ルミライトピグメント１．５％配合（明度４．５）
本体の色：不透明白色（明度９．０）
誘引剤：赤酢  ３０ｇ
【００２９】
第４実施例品
蓋の色：透明緑色、蛍光発光剤ルミライトピグメント１．５％配合（明度４．５）
本体の色：不透明赤色（明度４．０）
誘引剤：赤酢  ３０ｇ
【００３０】
試験結果は下記表１に示すとおりであった。
【００３１】
【表１】
0003740660.tif 000002
【００３２】
このことから、本体５の明度が蓋６の明度よりも低い場合には捕獲性が高く、本体５の明度が蓋６の明度よりも高い場合には捕獲性が低いことが判明した。
【００３３】
【実施例２】
試験場所、供試虫、試験方法：実施例１と同じ
第５実施例品
蓋の色：透明緑色、蛍光発光剤ルミライトピグメント１．５％配合（明度４．５）
本体の色：不透明黒色（明度２．０）
誘引剤：赤酢  ３０ｇ
【００３４】
試験結果は下記表２に示すとおりであった。
【００３５】
【表２】
0003740660.tif 000003
【００３６】
このことから、キイロショウジョウバエに対しては本体５を赤（明度４．０）とすることが好ましく、イエバエに対しては本体５を黒（明度２．０）とすることが好ましいことが判明した。
【００３７】
【実施例３】
試験場所、供試虫、試験方法：実施例１と同じ
第６実施例品
蓋の色：透明緑色、蛍光発光剤ルミライトピグメント１．５％配合（明度４．５）
本体の色：不透明緑色（明度４．５）
誘引剤：赤酢  ３０ｇ
【００３８】
第７実施例品
蓋の色：透明緑色、蛍光発光剤ルミライトピグメント１．５％配合（明度４．５）
本体の色：不透明紫色（明度４．０）
誘引剤：赤酢  ３０ｇ
【００３９】
試験結果は下記表３に示すとおりであった。
【００４０】
【表３】
0003740660.tif 000004
【００４１】
このことから、本体５を緑色で明度４．５とすると、捕獲性が低いことが判明した。
【００４２】
【実施例４】
試験場所：８畳のフィールド試験室
供試虫：キイロショウジョウバエ
試験方法：▲１▼上記の部屋に、第４ａ実施例品、第４実施例品、第８実施例品、第１・第２比較品を並置する。
▲２▼その後、キイロショウジョウバエを１日３０個体ずつ放つ。
▲３▼６日後に捕獲虫数を確認する。
【００４３】
第４ａ実施例品
蓋の色：透明緑色、蛍光発光剤ルミライトピグメント０．５％配合（明度４．５）
本体の色：不透明赤色（明度４．０）
誘引剤：赤酢  ３０ｇ
【００４４】
第８実施例品
蓋の色：透明緑色、蛍光発光剤ルミライトピグメント１．５％配合（明度４．５）
本体の色：不透明緑色、蛍光発光剤ルミライトピグメント１．５％配合（明度４．５）
誘引剤：赤酢  ３０ｇ
【００４５】
その結果は下記表４に示すとおりであった。
【００４６】
【表４】
0003740660.tif 000005
【００４７】
このことから、本体５を緑色（明度４．５）とすることで捕獲率が低下することが判明した。
【００４８】
【発明の効果】
請求項１に係る発明によれば、容器１の侵入口３を設けた上部が緑色で、容器１の下部の明度が上部の明度より低いから、昆虫にとって容器１の侵入口３の周囲が緑色としてハッキリと視覚される。よって、緑色を好む飛翔昆虫の視覚による侵入口３への誘引性が高く、捕獲性が高くなる。
請求項２に係る発明によれば、昆虫にとっての容器１の緑色部分の色彩のコントラストが高まり、侵入口３への誘引性が更に高くなるので、捕獲性も更に高くなる。
請求項３に係る発明によれば、侵入口３の周囲に設けた凹凸４により光散乱や反射が発生するので侵入口３周辺の光沢個所が増え、侵入口３への誘引性が一層高くなるので、捕獲性が一層高くなる。
請求項４に係る発明によれば、容器１の侵入口３を設けた蓋６が緑色で、容器１の本体５の明度が蓋６の明度より低いから、昆虫にとって容器１の侵入口３の周囲が緑色としてハッキリと視覚される。よって、緑色を好む飛翔昆虫の視覚による侵入口３への誘引性が高く、捕獲性が高くなる。
請求項５に係る発明によれば、容器１の侵入口３を設けた蓋６が緑色で、容器１の本体５の明度が蓋６の明度より低いから、昆虫にとって容器１の侵入口３の周囲が緑色としてハッキリと視覚される。よって、緑色を好む飛翔昆虫の視覚による侵入口３への誘引性が高く、捕獲性が高くなる。
また、蓋６の凹陥部１１の底面１１ａに侵入口３を形成したので、その凹陥部１１に入り込んだ昆虫は、その凹陥部１１内で動き回り、嗅覚誘引性捕獲部材２により誘引されて侵入口３から本体５内に入るから、昆虫の捕獲効率が向上する。
また、凹陥部１１の周面部分１１ｂはほぼ漏斗形状であるから昆虫が凹陥部１１内に入り込み易く、しかも周面部分１１ｂが凹凸４によって光散乱や反射が生じるから、侵入口３周辺の光沢個所が増え、侵入口３への誘引性が一層高くなるので、捕獲性が一層高くなる。
請求項６に係る発明によれば、蓋６が紫外線照射で蛍光を発すると共に、緑色で、明度を３〜６の範囲で、本体５が赤色であるから、侵入口３への誘引性がより一層高く、捕獲性がより一層高くなる。
【図面の簡単な説明】
【図１】  本発明の実施の形態を示す飛翔昆虫用捕獲器の斜視図である。
【図２】  本発明の実施の形態を示す飛翔昆虫用捕獲器の正面縦断面図である。
【符号の説明】
１…容器、２…嗅覚誘引性捕獲部材、３…侵入口、４…凹凸、５…本体（容器１の下部）、６…蓋（容器１の上部）。
【図１】
0003740660.tif 000006
【図２】
0003740660.tif 000007